(57)【要約】【課題】パソコンを用いずに、任意のビデオ信号発生器を使用して、ディスプレイの特性測定を行えるようにする。【解決手段】被測定ディスプレイ１２に対して対向配置される光学センサ部２１に、測定装置本体２２を備えて構成され、ディスプレイ１２の表示出力を光学センサ部２１で受光して、測定装置本体２２がその受光結果から測定値を表示部２２ａや印字部２２ｂから出力するディスプレイ測定装置１１において、測定装置本体２２に、ビデオ信号発生器１３の制御コマンド群から成る測定プログラムを格納しておくメモリ部２２ｇと、前記制御コマンドによってビデオ信号発生器１３を制御する制御部２２ｃとを設ける。したがって、メモリ部２２ｇの制御コマンドを書替えるだけで、パソコンを用いることなく、任意のビデオ信号発生器１３を使用することができる。【選択図】図１
2010101652.tif 000002
【特許請求の範囲】
【請求項１】
被測定ディスプレイに対して対向配置される受光素子に、測定装置本体を備えて構成され、前記被測定ディスプレイの表示出力を前記受光素子で受光して、前記測定装置本体がその受光結果から測定値を出力するディスプレイ測定装置において、
前記測定装置本体は、
ビデオ信号発生器の測定に用いるための予め作成される制御コマンド群を格納しているメモリと、
測定時に前記メモリから前記制御コマンドを順次読出し、前記ビデオ信号発生器に与える制御部と、
前記制御コマンドに応答したビデオ信号発生器からのビデオ信号に対応した前記被測定ディスプレイの表示出力を前記受光素子で受光した結果を、前記制御コマンドに対応付けて出力してゆく出力部とを含むことを特徴とするディスプレイ測定装置。
【請求項２】
前記メモリは、前記測定装置本体に脱着可能な外部記憶装置であり、該測定装置本体は前記外部記憶装置とのインタフェイスを備えることを特徴とする請求項１記載のディスプレイ測定装置。
【発明の詳細な説明】
【技術分野】
【０００１】
本発明は、ディスプレイの特性を評価するために使用される測定装置に関する。
【背景技術】
【０００２】
ディスプレイの出荷検査時や、高い精度が要求される用途で使用されるディスプレイに適宜行われる校正時には、一般的に、図７で示すように、ビデオ信号発生器（パターンジェネレータ）１でディスプレイ２の表示内容を変更しながら、測定器３でその表示内容を測定して、該ディスプレイ２の特性が評価される。その測定は非常に煩雑で、たとえばγ特性を評価する場合には、前記ビデオ信号発生器１によってディスプレイ２の輝度を変更させながら、前記測定器３である輝度計による測定を数百回繰返す必要がある。
【０００３】
このため、表示内容の変更と測定とを自動で行うために、このような特性評価は、従来から、特許文献１で示されるように、パーソナルコンピュータ４によって、ビデオ信号発生器１と測定器３との両方を制御することによって実現されるのが一般的である。ところが、この場合には、測定器３およびビデオ信号発生器１以外に、制御用のパーソナルコンピュータ４が常時必要になるという問題がある。
【０００４】
そこで、特許文献２や特許文献３では、図８で示すように、測定器５にビデオ信号発生器６を内蔵し、制御用のパーソナルコンピュータ４を不要にしている。
【特許文献１】特開２００８−１４１５８７号公報
【特許文献２】特開２００１−３５９１２９号公報
【特許文献３】特開２００２−１７１５３９号公報
【発明の開示】
【発明が解決しようとする課題】
【０００５】
しかしながら上述の従来技術では、測定器５にビデオ信号発生器６を内蔵しているので、該ビデオ信号発生器６の機種が限定されてしまうという問題がある。
【０００６】
本発明の目的は、常時パーソナルコンピュータを用いることなく、任意のビデオ信号発生器を使用することができるディスプレイ測定装置を提供することである。
【課題を解決するための手段】
【０００７】
本発明のディスプレイ測定装置は、被測定ディスプレイに対して対向配置される受光素子に、測定装置本体を備えて構成され、前記被測定ディスプレイの表示出力を前記受光素子で受光して、前記測定装置本体がその受光結果から測定値を出力するディスプレイ測定装置において、前記測定装置本体は、ビデオ信号発生器の測定に用いるための予め作成される制御コマンド群を格納しているメモリと、測定時に前記メモリから前記制御コマンドを順次読出し、前記ビデオ信号発生器に与える制御部と、前記制御コマンドに応答したビデオ信号発生器からのビデオ信号に対応した前記被測定ディスプレイの表示出力を前記受光素子で受光した結果を、前記制御コマンドに対応付けて出力してゆく出力部とを含むことを特徴とする。
【０００８】
上記の構成によれば、被測定ディスプレイに対して対向配置される輝度計やカメラなどの受光素子に、測定装置本体を備えて構成され、前記被測定ディスプレイの表示出力を前記受光素子で受光して、前記測定装置本体がその受光結果から測定値をディスプレイ（画像表示）および／または印字出力するディスプレイ測定装置において、該ディスプレイ測定装置は、ディスプレイの既定された範囲（表示領域）で、既定された輝度値などの表示出力を測定し、出力部から出力すればよい。そこで、測定装置本体に、ビデオ信号発生器（パターンジェネレータ）の制御コマンド群から成る測定プログラムを格納しておくメモリと、前記制御コマンドによって前記ビデオ信号発生器を制御する制御部とを設ける。そして、測定時に前記制御部は、その格納されている制御コマンドを順次読出し、前記ビデオ信号発生器に与える。これに応答したビデオ信号発生器からのビデオ信号に対応した前記被測定ディスプレイの表示出力が前記受光素子で受光され、その結果を、前記出力部が前記制御コマンドに対応付けて、前記ディスプレイ（画像表示）および／または印字出力してゆく。
【０００９】
したがって、メモリの制御コマンドを書替えるだけで、任意のビデオ信号発生器を使用することができ、また検査用途であれば、その検査にあたっては、パーソナルコンピュータを不要にして、受光素子および測定装置本体ならびにビデオ信号発生器だけで検査を行うことができる。
【００１０】
また、本発明のディスプレイ測定装置では、前記メモリは、前記測定装置本体に脱着可能な外部記憶装置であり、該測定装置本体は前記外部記憶装置とのインタフェイスを備えることを特徴とする。
【００１１】
上記の構成によれば、外部のパーソナルコンピュータなどで作成した測定プログラムを脱着可能な外部記憶装置に格納し、それを測定装置本体に装着するだけで、測定すべきディスプレイの種類に対応した測定プログラムを格納することができ、また複製の外部記憶装置を複数のディスプレイ測定装置に装着するだけで、該複数のディスプレイ測定装置に測定プログラムを一括して格納させることができる。
【発明の効果】
【００１２】
本発明のディスプレイ測定装置は、以上のように、被測定ディスプレイに対して対向配置される輝度計やカメラなどの受光素子に、測定装置本体を備えて構成され、前記被測定ディスプレイの表示出力を前記受光素子で受光して、前記測定装置本体がその受光結果から測定値を出力するディスプレイ測定装置において、前記測定装置本体に、ビデオ信号発生器の制御コマンド群から成る測定プログラムを格納しておくメモリと、前記記制御コマンドによって前記ビデオ信号発生器を制御する制御部とを設ける。
【００１３】
それゆえ、メモリの制御コマンドを書替えるだけで、任意のビデオ信号発生器を使用することができ、また検査用途であれば、その検査にあたっては、パーソナルコンピュータを不要にして、受光素子および測定装置本体ならびにビデオ信号発生器だけで検査を行うことができる。
【発明を実施するための最良の形態】
【００１４】
［実施の形態１］
図１は、本発明の実施の一形態に係るディスプレイ測定装置１１を用いての被測定ディスプレイ１２の特性測定の様子を説明するための図である。このような測定は、プラズマや液晶などのディスプレイの工場出荷検査時や、印刷用や放送用などの高い表示精度が要求される用途で使用されるディスプレイに適宜実施される校正時に行われる。前記被測定ディスプレイ１２は、ビデオ信号発生器（パターンジェネレータ）１３からの映像信号に応じて、その表示内容を変化する。
【００１５】
本実施の形態のディスプレイ測定装置１１は、被測定ディスプレイ１２に対して対向配置され、前記被測定ディスプレイ１２の表示出力を受光する光学センサ部２１に、前記光学センサ部２１での受光結果から、測定値を出力する測定装置本体２２を備えて構成される。測定すべき特性に応じて、光学センサ部２１には、簡単な輝度センサや、色センサ、或いは精度の高い分光計など、適切な受光素子が用いられればよい。また、測定装置本体２２は、測定値を、表示部２２ａによるディスプレイ（画像表示出力）および／または印字部２２ｂによる印字出力、メディアに書込んでの出力、或いはネットワーク接続された表示装置への表示等、適切な態様で出力すればよい。ただし、階調など、ビデオ信号発生器１３の制御情報（映像信号）が、前記測定値に合わせて表示される。
【００１６】
注目すべきは、本実施の形態のディスプレイ測定装置１１では、測定装置本体２２が、ビデオ信号発生器１３の制御を行うことである。図２は、測定装置本体２２の電気的構成を示すブロック図である。測定装置本体２２は、出力部である前記表示部２２ａおよび印字部２２ｂと、制御部２２ｃと、操作部２２ｄと、信号増幅部２２ｅと、アナログ／デジタル変換部２２ｆと、メモリ部２２ｇ，２２ｉと、インタフェイス部２２ｈとを備えて構成される。
【００１７】
前記光学センサ部２１での受光出力は、信号増幅部２２ｅで増幅され、アナログ／デジタル変換部２２ｆでデジタル値に変換されて、前記制御部２２ｃに入力される。前記制御部２２ｃは、マイクロコンピュータなどで実現され、前記アナログ／デジタル変換部２２ｆからの測定結果を前記表示部２２ａおよび印字部２２ｂから出力させることができるとともに、適宜集計して格納することもできる。
【００１８】
注目すべきは、この制御部２２ｃに関連して、記憶内容を書替え可能なメモリ部２２ｉに、インタフェイス部２２ｈが設けられており、制御部２２ｃは、前記メモリ部２２ｉに格納されている測定プログラムを実行し、インタフェイス部２２ｈを介して前記ビデオ信号発生器１３にディスプレイ１２の表示内容を変化させるとともに、その変化させた表示内容を、前記光学センサ部２１から信号増幅部２２ｅおよびアナログ／デジタル変換部２２ｆを制御することで、自動測定を行うことである。前記測定プログラムは、前記光学センサ部２１などの自機の制御コマンド群に、ビデオ信号発生器１３の制御コマンド群を備えて構成される。前記測定プログラムは、測定装置本体２２の操作部２２ｄから、測定者が表示部２２ａを確認しながら、前記制御コマンドを順次入力することで、作成される。なお、メモリ部２２ｇには、この測定装置本体２２の全体の基本制御プログラムが格納されており、前記測定プログラムは、この基本制御プログラム上で実行される。
【００１９】
図３は、その測定動作を説明するためのフローチャートである。測定動作を開始すると、制御部２２ｃは、メモリ部２２ｇの基本制御プログラムに基づき、ステップＳ１でメモリ部２２ｉから制御コマンドを読出し、ステップＳ２で自機（測定装置本体２２）の制御コマンドであるか否かを判断し、そうでない場合、すなわちビデオ信号発生器１３の制御コマンドである場合はステップＳ３で、インタフェイス部２２ｈを介してその制御コマンドをビデオ信号発生器１３に送信し、自機の制御コマンドである場合には、ステップＳ４で、光学センサ部２１などの自機の該当回路を、前記基本制御プログラムに従い、制御する。こうしてステップＳ３，Ｓ４で制御コマンドが実行されると、ステップＳ５で、前記メモリ部２２ｉ内に後続の制御コマンドが残されているか否かが判断され、残されている場合には前記ステップＳ１に戻って次の制御コマンドの読出しから実行が行われ、実行すべき制御コマンドが残されていない場合には測定動作を終了する。
【００２０】
図４は、前記測定プログラムの一部の例を示す図である。制御部２２ｃは、各制御コマンドの内、ブラケット（＜および＞）で囲まれた部分をビデオ信号発生器１３の制御用信号として扱い、インタフェイス部２２ｈから送信し、それ以外は自機の制御コマンドとして扱い、また空行を読込んだら終了する。図４の制御コマンドの例では、￥ｘは１６進であることを、”は１０進であることを、それぞれ表し、０２はコマンド先頭を表し、それに実際のコマンドが続き、０３がコマンド最後尾を表している。
【００２１】
そして、この図４の例では、先ずコマンド３ｃでウィンドウ描画を行わせることが示されており、それに続き、表示させるべき領域範囲として、ｘ方向のアドレスが０〜６３９、ｙ方向のアドレスが０〜４７９、すなわちＶＧＡの全画像域が指定されていることを表している。続いて、２行に亘る制御コマンドで、コマンド３ｄで色表示を行うことが、続くコマンド１０で実際の色データが指定されていることを表す。図４の例では、階調表示で、Ｒ＝２５５，Ｇ＝０，Ｂ＝０の赤色表示を指定していることを表す。以降、同様に赤色の階調を落としてゆき、その間に、逐次、自機での輝度の測定コマンドＭＥＳが挿入されている。
【００２２】
このように構成することで、メモリ部２２ｉの制御コマンドを書替えるだけで、任意のビデオ信号発生器を使用することができ、また検査用途であれば、その検査にあたっては、パーソナルコンピュータを不要にして、光学センサ部２１および測定装置本体２２ならびにビデオ信号発生器１３だけで、ディスプレイ１２の検査を行うことができる。
【００２３】
［実施の形態２］
図５は、本発明の実施の他の形態に係るディスプレイ測定装置３１の電気的構成を示すブロック図である。このディスプレイ測定装置３１は、前述のディスプレイ測定装置１１に類似し、対応する部分には同一の参照符号を付して示し、その説明を省略する。注目すべきは、このディスプレイ測定装置３１では、前述の測定装置本体２２のメモリ部２２ｉに代えて、メモリカードやＵＳＢメモリなどの外部記憶装置３２ｉが用いられ、測定装置本体３２には、対応するインタフェイス３２ｈが設けられることである。
【００２４】
前記外部記憶装置３２ｇには、パーソナルコンピュータなどにおいて、エディタなどを使用して予め作成された前記測定プログラムが格納されている。したがって、たとえばγ特性の測定では、数百回も繰返し行われる測定動作のための制御コマンドを効率良く作成することができる。また、測定すべきディスプレイの種類に対応した外部記憶装置３２ｉを装着するだけで、適応した測定動作を行わせることができるとともに、該外部記憶装置３２ｉの複製を作成して装着することで、複数のディスプレイ測定装置に測定プログラムを一括して格納させることもできる。本発明は、メモリ部２２ｉや外部記憶装置３２ｉなどの書替え可能なメモリから制御コマンドを読出すことが特徴で、前記メモリ部２２ｉや外部記憶装置３２ｉへの制御コマンドの書込みは、任意に行われればよい。
【００２５】
［実施の形態３］
図６は、本発明の実施のさらに他の形態に係るディスプレイ測定装置４１の電気的構成を示すブロック図である。このディスプレイ測定装置４１は、前述のディスプレイ測定装置１１に類似し、対応する部分には同一の参照符号を付して示し、その説明を省略する。注目すべきは、このディスプレイ測定装置４１では、パーソナルコンピュータのインタフェイス４２ｈが設けられ、パーソナルコンピュータで作成された制御コマンドが、そのままメモリ部２２ｉに書込み可能となっていることである。前記インタフェイス４２ｈは、優先と無線との何れであってもよい。たとえば、ノートブック型のパーソナルコンピュータを測定室に持ち込んで接続し、個別に制御コマンドを書込んだり、無線ＬＡＮなどで一括して書込んだりすることができる。この場合も、測定時にパーソナルコンピュータを接続しておく必要はない。
【図面の簡単な説明】
【００２６】
【図１】本発明の実施の一形態に係るディスプレイ測定装置を用いての被測定ディスプレイの特性測定の様子を説明するための図である。
【図２】前記ディスプレイ測定装置の電気的構成を示すブロック図である。
【図３】測定動作を説明するためのフローチャートである。
【図４】測定プログラムの一部の例を示す図である。
【図５】本発明の実施の他の形態に係るディスプレイ測定装置の電気的構成を示すブロック図である。
【図６】本発明の実施のさらに他の形態に係るディスプレイ測定装置の電気的構成を示すブロック図である。
【図７】典型的な従来技術のディスプレイ測定装置を用いての被測定ディスプレイの特性測定の様子を説明するためのブロック図である。
【図８】他の従来技術のディスプレイ測定装置を用いての被測定ディスプレイの特性測定の様子を説明するためのブロック図である。
【符号の説明】
【００２７】
１１，３１，４１    ディスプレイ測定装置
１２    被測定ディスプレイ
１３    ビデオ信号発生器
２１    光学センサ部
２２    測定装置本体
２２ａ  表示部
２２ｂ  印字部
２２ｃ  制御部
２２ｄ  操作部
２２ｅ  信号増幅部
２２ｆ  アナログ／デジタル変換部
２２ｇ，２２ｉ    メモリ部
２２ｈ  インタフェイス部
３２ｇ  外部記憶装置
３２ｈ，４２ｈ    インタフェイス
【図１】
2010101652.tif 000003
【図２】
2010101652.tif 000004
【図３】
2010101652.tif 000005
【図４】
2010101652.tif 000006
【図５】
2010101652.tif 000007
【図６】
2010101652.tif 000008
【図７】
2010101652.tif 000009
【図８】
2010101652.tif 000010